(57)【特許請求の範囲】
【請求項１】
Ｌ型に屈曲された平板に、該平板の水平面には鉛直方向に配設された単管パイプの先端部に着脱自在に嵌合される連結手段と、水銀灯のホルダーを固定する固定手段とを設け、前記平板の鉛直面には安定器を取り付ける取着手段と、水平方向に配設した単管パイプに係止される係止手段を設けたことを特徴とする水銀灯用固定金具。
【請求項２】
係止手段は、平板の鉛直面に折り畳めるように回転自在であることを特徴とする請求項１に記載の水銀灯用固定金具。
【発明の詳細な説明】
【０００１】
【産業上の利用分野】
本発明は、建築作業現場の夜間照明用に使用される水銀灯を、作業足場の単管に固定するための水銀灯用の固定金具に関する。
【０００２】
【従来の技術】
従来、作業足場の単管に、水銀灯と安定器（２００Ｖ用）とを取り付けるには、市販の水銀灯の取付け用ホルダーが揺動自在な平板帯体に形成されていて、該ホルダーを番線，クランプ，ボルト・ナット等の取付け手段で固定するものであった。
【０００３】
また、水銀灯用の安定器も、安全性の観点から人の手に届かない高所に設けなければならず、その重量も約１０ｋｇ程度で高所取付けに困難性が伴うものである。
【０００４】
【発明が解決しようとする課題】
前記水銀灯の取付け手段では、水平方向若しくは垂直方向に配設された単管に前記ホルダーをしっかり固定するために、手間を掛けて数や量を多くして固定しなければならず、その一方で水銀灯を他の作業場所に転用させるには簡単に取り外しが出来なくなって不便となる、と言う問題点があった。
また、安定器を、前述のように重量物を高所に設置するもので、手間が掛かる取付作業となり、取付状態も不安定なままに置かれることが多いと言った問題点があった。
【０００５】
本発明は、上記の課題に鑑みてなされたもので、水銀灯と安定器をまとめてコンパクトに集約し、高所取付作業を簡易にして安定した固定手段となる固定金具を提供することを目的とする。
【０００６】
【課題を解決するための手段】
本発明の上記課題を解決し上記目的を達成するための水銀灯用固定金具の要旨は、Ｌ型に屈曲された平板に、該平板の水平面には鉛直方向に配設された単管パイプの先端部に着脱自在に嵌合される連結手段と、水銀灯のホルダーを固定する固定手段とを設け、前記平板の鉛直面には安定器を取り付ける取着手段と、水平方向に配設した単管パイプに係止される係止手段を設けたことである。
【０００７】
前記係止手段は、平板の鉛直面に折り畳めるように回転自在であることである。
【０００８】
【作用】
本発明の水銀灯用固定金具によれば、建築現場において、枠組足場の単管パイプに水銀灯と安定器とをコンパクトにまとめて取り付けることができる。安定器も高所に配設されて人の手の届かないようになる。また、連結手段と係止手段を備えたことで、垂直方向に配設された単管パイプと水平方向に配設された単管パイプのいずれにも取り付けることができるので、当該固定金具の盛り替えが容易になる。
【０００９】
【実施例】
次に、本発明に係る実施例について図面を参照して詳細に説明する。第１実施例に係る水銀灯用固定金具１は、図１乃至図３に示すように、その本体がＬ型に屈曲された平板２である。
【００１０】
前記平板２は、金属製であり、例えば、鋼板，鉄板，ステンレス板，アルミ板などである。高所作業となることから、安定性と強度性を確保できるものであれば、より軽量なものにする。
【００１１】
前記平板２の水平面３には、鉛直方向に配設された単管パイプ４の先端部に着脱自在に嵌合される連結手段としての連結パイプ５と、水銀灯６のホルダー６ａを固定する固定手段たる固定ボルト７とが設けられている。
【００１２】
前記連結パイプ５は、単管パイプ４の内径寸法よりも若干小さな外径の金属製パイプであり、前記水平面３の裏面に溶接等の手段で固着される。
また、公知のパイプジョイントを切断して当該連結パイプ５を形成する場合もあり、その場合には周壁面に切欠き５ａがある。
【００１３】
前記固定ボルト７は、平板２の水平面３に貫通孔が穿設されて、この貫通孔に下面から上面に向けてボルト７ａが挿通され、ナット７ｂが締結されている。
【００１４】
前記固定ボルト７は、前記連結パイプ５の内部に位置していても良いし、他の場所でもよい。
【００１５】
そして、平板２の鉛直面８には、安定器９を取り付ける取着手段として、貫通孔１０と長孔１１とが設けられている。
【００１６】
前記長孔１１は、図４に示すように、安定器９の取付用に使用されるとともに、単管パイプ４に取り付けるクランプ１２のボルト１２ａを挿通してナット１２ｂを締結するためにも使用される。
【００１７】
そして、前記鉛直面８に、図５に示すように、水平方向に配設した単管パイプ１３に２カ所で係止される係止手段たるフック１５，１５のボルトを挿通してナット１５ａで締結するための係止孔１６，１７を設けている。なお、下側の単管パイプ１４には、長孔１１にクランプ１８のボルトを挿通させて安定器９の下端部と共締めにしてナット１８ａで締結されたクランプ１８が係止される。
【００１８】
前記フック１５は、水平方向に配設された単管パイプ１３に係止させる場合には予め前記鉛直面８に取着しておくが、鉛直方向に配設された単管パイプ４に連結パイプ５を嵌合させるときには、当該フック１５は必要としない。
【００１９】
以上のようにした水銀灯用固定金具１により、図４に示すように、例えば、鉛直方向に配設された単管パイプ４に対して、予め平板２に水銀灯６と安定器９を地上で取付作業して着脱自在に取着する。また、電気配線作業も行っておく。
【００２０】
水銀灯６は、ホルダー６ａの中央部に穿孔された貫通孔に固定ボルト７を挿通させて、ナット７ｃで締結して固定する。また、安定器９は、鉛直方向の上側でボルト１９・ナット２０で締結し、下側では、クランプ１２のボルト１２ａを長孔１１に挿通して、ナット１２ｂで平板２の鉛直面８と安定器９の下端部とを共締めして固定するものである。
【００２１】
そして、水銀灯６と安定器９を固定した前記固定金具１を運搬して足場に登り、鉛直方向に配設された単管パイプ４の先端部に、固定金具１の連結パイプ５を嵌合させる。
【００２２】
そして、クランプ１２を単管パイプ４にネジ止めすることにより、任意の方向に固定可能となる。また、該クランプ１２によって固定金具１がしっかりと固定されるので、風等の外力で固定金具１が単管パイプ４の軸心回りに回転し水銀灯６の向きが変化することはない。
【００２３】
このようにして、鉛直方向に配設された単管パイプ４に、水銀灯６と安定器９が高所に安定して設置されるのである。
【００２４】
一方、水平に配設された単管パイプ１３，１４に、水銀灯用固定金具１を取り付ける場合には、図５に示すように、予め平板２に水銀灯６を固定ボルト７で固定し、安定器９をボルト１９・ナット２０及びクランプ１８のボルトとナット１８ａで固定する。更に、フック１５，１５を、そのボルト部分を係止孔１６，１７に挿通してナット１５ａで鉛直面８に固定する。また、電気配線も行っておく。
【００２５】
そして、水銀灯６と安定器９とを固定した固定金具１を運搬して足場に登り、水平方向に配設された単管パイプ１３に前記フック１５を係止させ、次に、クランプ１８を水平方向に配設された単管パイプ１４に取り付ける。
【００２６】
このようにして、水平方向に配設された単管パイプ１３，１４に、水銀灯６と安定器９とが高所に安定して設置されるのである。
【００２７】
本発明の第２実施例に係る水銀灯用固定金具１ａは、図６に示すように、前記フック１５，１５を平板２の鉛直面８に回動自在に支持して、鉛直面８と平行になって折り畳めるようにしたものである。
【００２８】
前記フック１５を回動自在にする構造は、鉛直面８にフック１５の形状に沿ったやや大きな抜き孔２１，２２を穿設する。そして、支持金具２３，２４に軸２５を突出させ、該軸２５に筒状のフック保持金具２６を回動自在に支持させる。
【００２９】
そして、前記フック保持金具２６にフック１５のボルト部分を回転自在に嵌装する。よって、フック１５は、フック保持金具２６の軸心の回りに回転し、更に、軸２５を介して図６において下向きから水平に略９０゜回動する。
【００３０】
なお、符号２７は、鉛直面８に折り畳まれたフック１５の先端部を押さえてその回動を阻止するストッパーである。これは、鉛直面８に取り付けた軸２７ａを中心にして図６において左右方向に回転するものである。
【００３１】
また、平板２の水平面３に、ナット用収納ボルト２８を設けることもできる。このナット用収納ボルト２８のネジ部に、水銀灯６用のナット７ｃや、フック１５用のナット１５ａ若しくは長孔１１に挿通させて取り付けるクランプ１２又は１８用のナット１２ｂ，１８ａ等を、適宜に螺着しておくのである。
更に、前記ボルト２８を、安定器９の取付用のボルト１９の代わりに使用することもできる。
【００３２】
このようにすることで、平板２に必要な取付用のナットが一カ所にまとめられて、部品管理や締結作業がし易くなるものである。
【００３３】
本発明の水銀灯用固定金具１，１ａは、単管パイプ４，１３，１４に対して着脱自在であるので、作業所の他の場所に転用しやすく水銀灯の設置作業の能率化が図られるものである。
【００３４】
【発明の効果】
以上説明したように、本発明に係る水銀灯用固定金具は、Ｌ型に屈曲された平板に、該平板の水平面には鉛直方向に配設された単管パイプの先端部に着脱自在に嵌合される連結手段と、水銀灯のホルダーを固定する固定手段とを設け、前記平板の鉛直面には安定器を取り付ける取着手段と、水平方向に配設した単管パイプに係止される係止手段を設けて形成されるので、水銀灯と安定器とが平板にコンパクトに纏められて、高所作業が容易で能率的となるばかりでなく、安定器も人の手の届かない高所に配設されるので安全性も確保されると言う優れた効果を奏する。
【００３５】
また、前記係止手段は、平板の鉛直面に折り畳めるように回転自在であることとしたので、前記固定金具の取り扱いや収納性が向上すると言う優れた効果を奏する。
【図面の簡単な説明】
【図１】本発明の第１実施例に係る水銀灯用固定金具の斜視図である。
【図２】同水銀灯用固定金具の側面図である。
【図３】同水銀灯用固定金具の正面図である。
【図４】同水銀灯用固定金具を鉛直方向に配設された単管パイプに取り付ける場合の説明図である。
【図５】同水銀灯用固定金具を水平方向に配設された単管パイプに取り付ける場合の説明図である。
【図６】同第２実施例に係る水銀灯用固定金具の正面図である。
【符号の説明】
１，１ａ  水銀灯用固定金具、
２  平板、
３  水平面、
４，１３，１４  単管パイプ、
５  連結パイプ、
６  水銀灯、
７  固定ボルト、
８  鉛直面、
９  安定器、
１０  貫通孔、
１１  長孔、
１２，１８  クランプ、
１５  フック、
１６，１７  係止孔、
２１，２２  抜き孔、
２３，２４  支持金具、
２５  軸、
２６  フック保持金具、
２８  ナット用収納ボルト。
【図１】
0003727368.tif 000002
【図２】
0003727368.tif 000003
【図３】
0003727368.tif 000004
【図４】
0003727368.tif 000005
【図５】
0003727368.tif 000006
【図６】
0003727368.tif 000007